(57)【要約】【課題】ＷＬＡＮのＢｅａｃｏｎ情報に関連してＷＬＡＮとブルーツース間での干渉回避が不十分だった。【解決手段】ビーコン信号の送信によって送信待ちデータの有無を報知する第１無線通信方式に対応した第１無線通信部と、第１無線通信方式と少なくとも一部の周波数帯が重なっている周波数帯を用い、時間軸上にて断続的に通信する第２無線通信方式に対応した第２無線通信部と、送信待ちデータを保持する送信待ちデータ保持部と、を備え、送信待ちデータ保持部が送信待ちデータを保持する場合で、かつ第２無線通信部が通信断の場合、ビーコン信号は送信待ちデータ有の報知を行い送信待ちデータ保持部が送信待ちデータを保持する場合で、かつ第２無線通信部が通信中の場合、ビーコン信号は送信待ちデータ無の報知を行う。これでブルーツース通信中は、送信データがあってもＢｅａｃｏｎ信号でデータ無しの報知を行い、通信が開始せず干渉回避ができる。【選択図】図２
2012186522.tif 000002
【特許請求の範囲】
【請求項１】
ビーコン信号の送信によって送信待ちデータの有無を報知する第１無線通信方式に対応した第１無線通信部と、
前記第１無線通信方式と少なくとも一部の周波数帯が重なっている周波数帯を用い、時間軸上にて断続的に通信する第２無線通信方式に対応した第２無線通信部と、
送信待ちデータを保持する送信待ちデータ保持部と、を備え、
前記送信待ちデータ保持部が送信待ちデータを保持する場合で、かつ前記第２無線通信部が通信断の場合、前記ビーコン信号は送信待ちデータ有の報知を行い
前記送信待ちデータ保持部が送信待ちデータを保持する場合で、かつ前記第２無線通信部が通信中の場合、前記ビーコン信号は送信待ちデータ無の報知を行う無線通信装置。
【請求項２】
請求項１に記載の無線通信装置であって、
第３無線通信方式に対応した第３無線通信部と、を備え、
前記送信待ちデータは、前記第３無線通信部を介して受信したデータである無線通信装置。
【請求項３】
請求項２に記載の無線通信装置であって、
前記第１無線通信方式はＷＬＡＮであり、
前記第２無線通信方式はBluetooth（登録商標）であり、
前記第３無線通信方式はセルラーである無線通信装置。
【請求項４】
請求項１から請求項３にいずれか１項に記載の無線通信装置であって、
前記送信待ちデータ有の報知の後に、他の無線通信装置から前記第１無線通信部に送信要求をうけた場合、前記第１無線通信部を介して前記送信待ちデータを前記他の無線通信装置へ送信する無線通信装置。
【請求項５】
請求項４に記載の無線通信装置であって、
前記第１無線通信部が対応する第１無線通信方式は、データ信号の送信データによって、送信待ちデータの有無を報知する通信方式であり、
前記送信待ちデータ保持部が送信待ちデータを保持する場合に、かつ前記第２無線通信部が更に一定時間通信断となる場合に、送信待ちデータ有りの報知を前記送信データにて行い、
前記送信待ちデータによって、送信待ちデータを保持する場合に、かつ前記第２無線通信部が、短時間の経過後に通信が開始されることが予測できる場合に、送信待ちデータ無しの報知を送信データにて行う無線通信装置。
【請求項６】
請求項１に記載の無線通信装置であって、
前記送信待ちデータ保持部が送信待ちデータを保持する場合で、かつ前記第２無線通信部が通信断の場合、前記ビーコン信号は送信待ちデータ有の報知を行い
前記送信待ちデータ保持部が送信待ちデータを保持する場合で、かつ前記第２無線通信部が通信中の場合、前記ビーコン信号の送信を行わない無線通信装置。
【請求項７】
請求項４に記載の無線通信装置であって、
第２無線通信部の通信断の期間を検出する通信断期間検出部を備え、
ビーコン信号にて前記送信待ちデータ有の報知の際に、通信断期間も合わせて報知を行う無線通信装置。
【請求項８】
請求項７に記載の無線通信装置であって、
通信断期間に、ＷＬＡＮアクセスポイントとステーションで共通に管理されているタイムスタンプを使用する無線通信装置
【発明の詳細な説明】
【技術分野】
【０００１】
本発明は、ワイヤレスローカルエリアネットワーク（以下「ＷＬＡＮ」と記載する）及びBluetooth（登録商標、以下「ブルーツース」と記載する。）通信が可能な、携帯電話や、スマートフォンや、パッド端末等の無線通信装置に関する。
【背景技術】
【０００２】
昨今において、ＷＬＡＮとブルーツース通信機能を搭載した携帯機器及び携帯電話が多数発売されている。
携帯電話におけるＷＬＡＮ通信の動作モードは、通常ステーションとして動作するが、昨今においては、アクセスポイントとしての動作する機能を有した携帯機器が発売されてきている。
ＷＬＡＮとブルーツースは、２．４ＧＨｚ帯の同一周波数を使用している。そのため、同時動作をした場合には、干渉を引き起こす。
この干渉を回避する方法として、ＷＬＡＮがステーションとして動作する場合には、様々な方式が提案されてきている。
しかしながら、ＷＬＡＮがアクセスポイントモードで動作する際に、ブルーツースとの同時動作時における干渉を回避する方式は、以下の特許文献1にて提案されている。
また、特許文献2は、ＷＬＡＮとブルーツースの同時動作を実現するものではないが、Ｂｅａｃｏｎを使用して、通信の制限を行う方式を提案しているため先行文献として記載した。
【０００３】
ＷＬＡＮがアクセスポイントモードで動作する際の、ブルーツースとの干渉回避方法としては、特許文献1  特表2005-529549が提案されている。
特許文献1は、ＷＬＡＮとブルーツースが同時動作時において、スケジューリングポリシを適用することによって前記相互干渉を回避する方式である。
特許文献2は、ＷＬＡＮとブルーツースとの同時動作時については、考慮されていないが、Ｂｅａｃｏｎ情報により、通信中のステーションに対して、通信の制約を実施させる方式について提案している。
【先行技術文献】
【特許文献】
【０００４】
【特許文献１】特表2005−529549号公報
【特許文献２】特開2007-129544号公報
【発明の概要】
【発明が解決しようとする課題】
【０００５】
ＷＬＡＮ規格上の動作として、アクセスポイントは、ネットワーク側から接続配下のステーション宛のデータを受け取った場合には、Ｂｅａｃｏｎ情報要素にて、該当のステーションに適合したＢｉｔを立ててＢｅａｃｏｎを報知する。ステーションは、Ｂｅａｃｏｎを受信し、自分宛のパケットがアクセスポイントに保持されていることを確認すると、アクセスポイントに対して、自分宛のデータを引き出すために、ポーリングパケット（ＰＳ−ＰＯＬＬ）を送信し、データ通信を開始する。
【０００６】
特許文献1の方式においては、このＷＬＡＮ規格上の動作において、ブルーツースが通信中において、アクセスポイントが定期的に送信するＢｅａｃｏｎに対して、通信開始の制限を行う等の制御については全く考慮されていない。
【０００７】
そのため、ブルーツースが通信中であっても、ネットワーク側から接続配下のステーション宛のデータを受け取った場合に、Ｂｅａｃｏｎ情報に、該当ステーション宛のＢitを立てて保持データありと通知してしまうため、ステーションとの通信が開始されてしまい、ＷＬＡＮとブルーツース間での干渉を引き起こされてしまう。
【０００８】
特許文献2の方式においては、ＷＬＡＮとブルーツースとの干渉回避については、述べられていないが、Ｂｅａｃｏｎの情報要素を使用して、アクセスポイントが、接続配下のステーションから送信される送信パケットの制限を実施するものである。
しかしながら、同様に、ネットワーク側から接続配下のステーション宛のデータを受け取った時に、該当ステーション宛のＢｉｔに対する制限をかけていないため、通信が開始されてしまうことと、また、ステーション側に、Ｂｅａｃｏｎ情報に基づいて送信パケットを制限する回路や制御を追加して設ける必要があるといった課題がある。
【０００９】
本発明は、上記課題を考慮して提案したものであり、ブルーツースが通信中においても、Ｂｅａｃｏｎ情報を使用して、干渉を回避した通信を行うことができ、更にステーション側に対する回路や制御の追加の必要がない無線通信装置を提供するものである。
【課題を解決するための手段】
【００１０】
本発明の無線通信装置は、ビーコン信号の送信によって送信待ちデータの有無を報知する第１無線通信方式に対応した第１無線通信部と、前記第１無線通信方式と少なくとも一部の周波数帯が重なっている周波数帯を用い、時間軸上にて断続的に通信する第２無線通信方式に対応した第２無線通信部と、送信待ちデータを保持する送信待ちデータ保持部と、を備え、前記送信待ちデータ保持部が送信待ちデータを保持する場合で、かつ前記第２無線通信部が通信断の場合、前記ビーコン信号は送信待ちデータ有の報知を行い前記送信待ちデータ保持部が送信待ちデータを保持する場合で、かつ前記第２無線通信部が通信中の場合、前記ビーコン信号は送信待ちデータ無の報知を行う。
【００１１】
この構成により、第1無線通信部が通信開始することを抑止することが可能となり、第1無線通信部と第2無線通信部の干渉を回避することができる。
【００１２】
また、本発明の無線通信装置は、第３無線通信方式に対応した第３無線通信部と、を備え、前記送信待ちデータは、前記第３無線通信部を介して受信したデータである。
【００１３】
この構成により、第３無線通信部を搭載したシステムへの適用することが可能となる。
【００１４】
また、本発明の無線通信装置は、前記第１無線通信方式はＷＬＡＮであり、前記第２無線通信方式はBluetooth（登録商標）であり、前記第３無線通信方式はセルラーである。
【００１５】
この構成により、ブルーツースを搭載した携帯電話への適用が可能となる。
【００１６】
また、本発明の無線通信装置は、前記送信待ちデータ有の報知の後に、他の無線通信装置から前記第１無線通信部に送信要求をうけた場合、前記第１無線通信部を介して前記送信待ちデータを前記他の無線通信装置へ送信する。
【００１７】
この構成により、通信相手との通信開始タイミングを決定することができ、干渉を回避した通信を実施することができる。
【００１８】
また、本発明の無線通信装置は、データ信号の送信データによって、送信待ちデータの有無を報知する第１無線通信方式に対応した第１無線通信部を備え、前記送信待ちデータ保持部が送信待ちデータを保持する場合に、かつ前記第２無線通信部が更に一定時間通信断となる場合に、送信待ちデータ有りの報知を送信データにて行い、前記送信待ちデータによって、送信待ちデータを保持する場合に、かつ前記第２無線通信部が、短時間の経過後に通信が開始されることが予測できる場合に、送信待ちデータ無しの報知を送信データにて行う。
【００１９】
この構成により、第1無線通信部が通信中に、第2無線通信部が通信を開始するタイミングにて、第1無線部の通信を停止することが可能となり、第1無線通信部と第2無線通信部との干渉を回避することができる。
【００２０】
また、本発明の無線通信装置は、前記送信待ちデータ保持部が送信待ちデータを保持する場合で、かつ前記第２無線通信部が通信断の場合、前記ビーコン信号は送信待ちデータ有の報知を行い前記送信待ちデータ保持部が送信待ちデータを保持する場合で、かつ前記第２無線通信部が通信中の場合、前記ビーコン信号の送信を行わない。
【００２１】
この構成により、第2無線通信部が通信中に、第1無線通信部からのビーコン信号を停止することで、ビーコンを送信することによる第2無線通信部との干渉を回避することができる。
【００２２】
また、本発明の無線通信装置は、前記第２無線通信部の通信断の期間を検出する通信断期間検出部を備え、ビーコン信号にて前記送信待ちデータ有の報知の際に、通信断期間も合わせて報知を行う。
【００２３】
この構成により、第1無線通信部での通信相手は、干渉を回避した通信が可能な通信期間を認識することでき、より効率的な通信が可能となるためスループットを向上することができる。
【００２４】
また、本発明の無線通信装置は、通信断期間に、ＷＬＡＮアクセスポイントとステーションで共通に管理されているタイムスタンプを使用する。
【００２５】
この構成により、アクセスポイントとステーション間にて干渉回避可能な通信断期間をより高い精度にて決定することが可能となり、スループットを更に向上することができる。
【発明の効果】
【００２６】
本発明は、ブルーツースとの同時動作において、ブルーツースとの干渉を回避したＷＬＡＮ通信開始方法と通信中にブルーツースとの干渉が予測される場合のＷＬＡＮ通信停止方法を提供している。
【００２７】
この発明により、ＷＬＡＮがアクセスポイントモードで動作している場合においてもブルーツースとの干渉回避が可能な装置が提供でき、更に、接続されるステーションに対しては、何の回路追加や制御追加の必要がなく、すべてのステーションに適用できるものである。
更に、本発明ではスループットを向上させるために、Ｂｅａｃｏｎ情報に、データありの情報とブルーツースの非通信期間を付加して報知する方式も提供している。
これにより、ステーションはブルーツースと干渉しない期間を認識することができ効率よくデータ通信を行うことができるため、スループットの向上を図ることができる。
【図面の簡単な説明】
【００２８】
【図１】本発明におけるシステム構成を示す図
【図２】本発明の実施の形態１にかかる無線通信装置のブロック構成を示す図
【図３】本発明の実施の形態１にかかる無線通信装置の動作を説明するための図
【図４】本発明の実施の形態１にかかる制御フローを示す図
【図５】本発明の実施の形態２にかかる無線通信装置の動作を説明するための図
【図６】本発明の実施の形態２にかかる制御フローを示す図
【図７】本発明の実施の形態３にかかる無線通信装置の動作を説明するための図
【図８】本発明の実施の形態３にかかる制御フローを示す図
【図９】本発明の実施の形態４にかかる無線通信装置のブロック構成を示す図
【図１０】本発明の実施の形態４にかかる無線通信装置の動作を説明するための図
【図１１】本発明の実施の形態４にかかる制御フローを示す図
【発明を実施するための形態】
【００２９】
以下、本発明の実施の形態について、図面を参照して詳細に説明する。
図１に本発明の全体構成図を示す。
本実施例においては、携帯電話にて説明するが、本発明においては、ＷＬＡＮとブルーツースが搭載されていればよく、この構成に限定されるものではない。
携帯電話１−２は、アクセスポイントモードで動作し、同時にヘッドセット３と同時に通信が可能な携帯電話である。
携帯電話１−１は、携帯電話１−２に接続し、ＷＬＡＮ通信を行う携帯電話である。
セルラ基地局２は、携帯電話１−２が、セルラ回線を使用して、インターネット網４へアクセスする際に、セルラ通信を行うために通信を行う基地局である。
【００３０】
図１に示した本発明のシステム構成において、本発明の実施の形態１について説明する。
【００３１】
（実施の形態１）
図２は、本発明の実施の形態１にかかる携帯電話のブロック構成を示す図である。
携帯電話１００は、ＷＬＡＮ通信及びブルーツース通信が可能な携帯電話である。
ＷＬＡＮアンテナ１０１は、ＷＬＡＮ通信用のアンテナである。
ＷＬＡＮ無線通信部１０２は、送信待ちデータ保持部１０３からの情報を基に、Ｂｅａｃｏｎ情報要素の設定と行うとともに、Ｂｅａｃｏｎ信号やデータ信号の無線通信を行う。
送信待ちデータ保持部１０３は、ブルーツースのトラフィック情報とＷＬＡＮのデータ保持情報を基に、ＷＬＡＮ無線通信部１０２へ保持データあり、なしの信号を送信する。
ブルーツースアンテナ１０４は、ブルーツース通信用アンテナである。
ブルーツース無線通信部１０５は、ブルーツース通信を行い、ブルーツーストラフィックの情報を送信待ちデータ保持部１０３へ通知するとともに、ブルーツースの無線通信を行う。
本実施の形態にて、図３にて動作を説明する。
ＷＬＡＮ無線通信部１０２は、アクセスポイントモードで動作している。
ＷＬＡＮはアクセスポイントモードで動作している際には、図３に示すように、一定間隔でＢｅａｃｏｎ信号を送信している。通常この間隔は１００ｍｓ程度に設定されている。
また、ブルーツースは、ヘッドセット等に接続されており、音楽視聴や音声通話等の通信を実施している。
このように、ブルーツースが通信中に、ＷＬＡＮがアクセスポイントモードとして一定周期でＢｅａｃｏｎを送信している状態で、ＷＬＡＮと接続しているステーション宛のデータが到来した場合に、ブルーツースが通信中の場合には、干渉の恐れがあるために、Ｂｅａｃｏｎ情報にて、ステーション宛のデータが到来していたとしても、データなしをＢｅａｃｏｎの情報要素に設定して、Ｂｅａｃｏｎを報知する。
仮に、データありとしてＢｅａｃｏｎを報知した場合には、ステーション側が自分宛のデータがアクセスポイントに保持されていると検出して、通信を開始してしまい、ブルーツースとの干渉が発生してしまう。
また、ステーション宛のデータを保持中に、ブルーツースのトラフィックとＢｅａｃｏｎが干渉しないタイミングを検出したならば、データ有りをＢｅａｃｏｎ情報要素に設定して、Ｂｅａｃｏｎを報知する。
この制御を行うことにより、ブルーツースとの干渉を回避して、ステーションとのＷＬＡＮ通信を開始することができる。
実施の形態１は、ＷＬＡＮ通信開始時にブルーツースのトラフィック情報を基に、ブルーツースとの干渉を回避する方式を提案しているものである。
【００３２】
図４の制御フローについて説明する。
制御フローを開始する。（手順Ｓ１０１）
送信待ちデータ保持部１０３にて、接続中のステーション宛のデータを保持しているかを判定する。接続中のステーション宛のデータを保持していない場合は、データ無しの情報をＷＬＡＮ無線通信部１０２へ通知する（手順Ｓ１０２）。
送信待ちデータ保持部１０３にて、保持データありの場合は、ブルーツース無線通信部１０５から通知されたブルーツーストラフィック情報から、ブルーツースが、現在通信中かどうかを判定する。
ブルーツースが、通信中の場合は、データ無しの情報をＷＬＡＮ無線通信部１０２へ通知する。
また、非通信の場合は、データ有りの情報をＷＬＡＮ無線通信部１０２へ通知する。（手順Ｓ１０３）
送信待ちデータ保持部１０３からデータ無しの情報を受け取ったＷＬＡＮ無線通信部１０２は、Ｂｅａｃｏｎの情報要素にデータ無しの情報を設定して、ＷＬＡＮアンテナ１０１を介し、Ｂｅａｃｏｎを報知する。（手順Ｓ１０４）
また、送信待ちデータ保持部１０３からデータ有りの情報を受け取ったＷＬＡＮ無線通信部１０２は、Ｂｅａｃｏｎ情報にデータ有りの情報を設定して、ＷＬＡＮアンテナ１０１を介し、Ｂｅａｃｏｎを報知する（手順Ｓ１０５）。
制御フローを終了する（手順Ｓ１０６）
この制御をすることで、ブルーツースとの干渉を回避して、ＷＬＡＮ通信を開始することができる。
【００３３】
（実施の形態２）
本発明の実施の形態２について図５と図６を用いて説明する。
【００３４】
実施の形態２の構成は、図２のブロック図と同一である。
【００３５】
図５は、本発明の実施の形態２にかかる動作を説明するための図である。
【００３６】
図６は、本発明の実施の形態２にかかる制御フローを示す図である。
ＷＬＡＮの規格上、Ｐｏｗｅｒｓａｖｅ動作中において、アクセスポイントが自分宛のデータを保持している場合には、データパケットに保持データありを情報要素に設定して、データパケットをステーション宛に送信する。
アクセスポイントからのデータパケットを受信したステーションは、自分宛のデータがアクセスポイントに保持されていることを認識し、ＰＳ−ＰＯＬＬをアクセスポイントに送信して、データを引き出す動作を行う。これは、アクセスポイントからの受信データに自分宛のデータが設定されている限り繰り返される。
受信したデータに自分宛のデータがないことを検出すれば、ステーションは、ＰＳ−ＰＯＬＬ送信を停止する。
【００３７】
図５において、図２における携帯電話１００において、ＷＬＡＮは、アクセスポイント
（ＷＬＡＮ  ＡＰ）として、接続中のステーション（ＷＬＡＮ  ＳＴＡ）と通信をして
いる。
また、ブルーツースもヘッドセット等と通信をしている状態である。
ＷＬＡＮ通信は、パワーセーブ時の通信として、ステーション（ＷＬＡＮ  ＳＴＡ）からＰＳ−ＰＯＬＬをアクセスポイント（ＷＬＡＮ  ＡＰ）に送信して、アクセスポイントからデータを受信する動作を実施している。
ＷＬＡＮは、ブルーツースの非通信期間にて通信を実施している。
ＷＬＡＮ通信中に、ブルーツースの通信の開始が一定時間の後に、行われることが検出された場合に、アクセスポイントからステーション宛のデータパケットに、保持データなしの情報要素を設定してデータパケットをステーションに送信する。
アクセスポイントからのデータを受信したステーションは、自分宛のデータが保持されていないことを検出して、ＰＳ−ＰＯＬＬを送信することを停止する。
この制御により、ブルーツースの通信が開始される前に、ＷＬＡＮ通信を停止することが可能となり、ＷＬＡＮとブルーツースの干渉を防止することが可能となる。
【００３８】
図５では、一例として、アクセスポイントからステーション宛のＷＬＡＮのデータ送信からブルーツースのトラフィックが開始されるまでの時間（ｔ）が、あらかじめ規定していた時間（Ｔ0）を下回った場合に、ブルーツースとの干渉が発生する恐れがあると判断し、アクセスポイントからのデータパケットに、データ無しの情報を設定して、ステーションへ送信している。
【００３９】
図６の制御フローについて説明する。
制御フローを開始する。（手順Ｓ２０１）
送信待ちデータ保持部１０３にて、接続中のステーション宛のデータを保持しているかを判定する。接続中のステーション宛のデータを保持していない場合は、データ無しの情報をＷＬＡＮ無線通信部１０２へ通知する（手順Ｓ２０２）。
送信待ちデータ保持部１０３にて、保持データ有りの場合は、ブルーツース無線通信部１０５から通知されたブルーツースのトラフィック情報から、ブルーツースのトラフィックが、(Ｔ０)秒以内に発生するかどうかを判断する。
(Ｔ０)以内に、ブルーツースのトラフィックが発生する場合には、保持データ無しの情報をＷＬＡＮ無線通信部１０２へ通知する。
また、（Ｔ０）秒以内にブルーツースのトラフィック情報が発生しない場合には、保持データ有りの情報をＷＬＡＮ無線通信部１０２へ通知する（手順Ｓ２０３）。
送信待ちデータ保持部１０３からデータ無しの情報を受け取ったＷＬＡＮ無線通信部１０２は、ステーション宛のデータパケットに、保持データ無しの情報を設定して、ＷＬＡＮアンテナ１０１を介し、データパケットをステーション宛に送信する（手順Ｓ２０４）。
また、送信待ちデータ保持部１０３からデータ有りの情報を受け取ったＷＬＡＮ無線通信部１０２は、ステーション宛のデータパケットに、保持データ有りの情報を設定して、ＷＬＡＮアンテナ１０１を介し、データパケットをステーション宛に送信する（手順Ｓ２０５）。
制御フローを終了する（手順Ｓ２０６）
この制御をすることで、ＷＬＡＮ通信中においても、ブルーツースの通信が開始される前に、アクセスポイントとステーション間との通信を停止することができるため、ＷＬＡＮとブルーツースとの干渉を回避することができる。
【００４０】
（実施の形態３）
本発明の実施の形態３について図７と図８を用いて説明する。
【００４１】
実施の形態３の構成は、図２のブロック図と同一である。
【００４２】
図７は、本発明の実施の形態３にかかる動作を説明するための図である。
【００４３】
図８は、本発明の実施の形態３にかかる制御フローを示す図である。
ＷＬＡＮ無線通信部は、実施の形態１と同様にアクセスポイントモードで動作している。
ブルーツースが通信中に、ＷＬＡＮがアクセスポイントモードとして動作し、一定周期でＢｅａｃｏｎを送信している状態で、ＷＬＡＮと接続しているステーション宛のデータが到来した場合に、
実施の形態１においては、ブルーツースが通信中の場合には、干渉の恐れがあるために、Ｂｅａｃｏｎ情報にて、ステーション宛のデータが到来していたとしても、データなしをＢｅａｃｏｎの情報要素に設定して報知するとしていたが、
実施の形態３においては、Ｂｅａｃｏｎを送信すること自体が、ブルーツースの通信への干渉を引き起こし、ブルーツースで通信している音声通話や音楽視聴の音質へ影響を及ぼすと考えられると判断した場合には、Ｂｅａｃｏｎ送信自体を停止する制御を行うものである。
このＢｅａｃｏｎ送信の停止制御は、ブルーツースにて行われている通信のアプリケーション毎に行ってもよい。
例えば、音声通話等のリアルタイム通信系のアプリケーションの通信時は、Ｂｅａｃｏｎ送信を停止し、ファイル転送等のデータ通信等のアプリケーションにおいては、Ｂｅａｃｏｎの送信は停止せず、実施の形態１にて実施しているように、Ｂｅａｃｏｎの情報要素に保持データ無しの設定をして報知するような制御を行う。
【００４４】
図８の実施の形態３の制御フローについて説明する。
制御フローを開始する。（手順Ｓ３０１）
送信待ちデータ保持部１０３にて、接続中のステーション宛のデータを保持しているかを判定する。接続中のステーション宛のデータを保持していない場合は、データ無しの情報をＷＬＡＮ無線通信部１０２へ通知する（手順Ｓ３０２）。
送信待ちデータ保持部１０３にて、保持データありの場合は、ブルーツース無線通信部１０５から通知されたブルーツーストラフィック情報から、ブルーツースが、現在通信中かどうかを判定する。
ブルーツースが、通信中の場合は、データ無しの情報をＷＬＡＮ無線通信部１０２へ通知する。
また、非通信の場合は、データ有りの情報をＷＬＡＮ無線通信部１０２へ通知する。（手順Ｓ３０３）
送信待ちデータ保持部からデータ無しの情報を受け取ったＷＬＡＮ無線通信部１０２は、
現在実施されているブルーツース通信が、音声通話等の音質に影響のある通信を実施しているかどうかを判断する。
音声通話等を実施している場合には、Ｂｅａｃｏｎの送信を停止する（手順Ｓ３０４）。
また、音声通話等の音質に影響のない通信の場合は、Ｂｅａｃｏｎの情報要素にデータ無しの情報を設定して、ＷＬＡＮアンテナ１０１を介し、Ｂｅａｃｏｎを報知する。（手順Ｓ３０５）
また、送信待ちデータ保持部１０３からデータ有りの情報を受け取ったＷＬＡＮ無線通信部１０２は、Ｂｅａｃｏｎ情報にデータ有りの情報を設定して、ＷＬＡＮアンテナ１０１を介し、Ｂｅａｃｏｎを報知する（手順Ｓ３０５）。
制御フローを終了する（手順Ｓ３０６）
この制御をすることで、ブルーツースの通信が、音声通話等の音質劣化の影響が大きいアプリケーションを実行している場合は、ブルーツースが通信中の場合においても、Ｂｅａｃｏｎの送信を停止することができ、ブルーツースに対するＷＬＡＮからのＢｅａｃｏｎによる干渉を回避することができる。
実施の形態１、２、及び３については、ＷＬＡＮのアクセスポイント側に回路及び制御を追加するだけで、ステーション間との通信を制御でき、ステーションに対して、全く回路及び制御追加の必要がなく実現可能な無線通信装置を提供するものである。
【００４５】
（実施の形態４）
図９は、実施の形態４にかかる携帯電話のブロック構成を示す図である。
携帯電話２００は、ＷＬＡＮ通信及びブルーツース通信が可能な携帯電話である。
ＷＬＡＮアンテナ２０１は、ＷＬＡＮ通信用のアンテナである。
ＷＬＡＮ無線通信部２０２は、送信待ちデータ保持部２０３からの情報を基に、Ｂｅａｃｏｎ情報要素の設定を行うとともに、通信断期間検出部２０６からのブルーツースの非通信期間の情報を基に、Ｂｅａｃｏｎ情報要素への設定を行う。Ｂｅａｃｏｎ信号やデータ信号の無線通信を行う。
送信待ちデータ保持部２０３は、ブルーツースのトラフィック情報とＷＬＡＮのデータ保持情報を基に、ＷＬＡＮ無線通信部２０２へ保持データあり、なしの信号を送信する。
ブルーツースアンテナ２０４は、ブルーツース通信用アンテナである。
ブルーツース無線通信部２０５は、ブルーツース無線通信を行い、ブルーツーストラフィックの情報を送信待ちデータ保持部１０３へ通知するとともに、通信断期間検出部２０６へブルーツースが通信していない期間を通知する。
通信断期間検出部２０６は、ブルーツース無線通信部２０５から、ブルーツースの通信していない期間（非通信期間）の情報を入手し、送信待ちデータ保持部２０３から、送信待ちデータ有りの通知を受信したタイミングでＷＬＡＮ無線通信部２０２に、ブルーツースの非通信期間の情報を通知する。
本実施の形態にて、図１０にて動作を説明する。
ＷＬＡＮ無線通信部は、アクセスポイントモードで動作している。
ＷＬＡＮはアクセスポイントモードで動作している際には、図１０に示すように、一定間隔でＢｅａｃｏｎ信号を送信している。
通常この間隔は１００ｍｓ程度に設定されている。また、ブルーツースは、ヘッドセット等に接続されており、音楽視聴や音声通話等の通信を実施している。
このように、ブルーツースが通信中にＷＬＡＮがアクセスポイントモードとして
一定周期でＢｅａｃｏｎを送信している状態で、ＷＬＡＮと接続しているステーション宛のデータが到来した場合に、
ブルーツースが通信中の場合には、実施の形態１と同様に、干渉の恐れがあるために、Ｂｅａｃｏｎ情報にて、ステーション宛のデータが到来していたとしても、データなしをＢｅａｃｏｎの情報要素に設定して報知する。
ステーション宛のデータを保持中に、ブルーツースのトラフィックとＢｅａｃｏｎが干渉しないタイミングを検出したならば、データ有り情報に加えて、ブルーツースの非通信期間をＢｅａｃｏｎ情報要素に設定して、ステーション宛に報知する。
この情報を通知することにより、ステーションは、ブルーツースと干渉せずに通信が可能な時間領域（図１０においては、ｔ０〜ｔ１、ｔ２〜ｔ３として記載）を認識することができ、ブルーツース非通信期間を効率よく使用して通信が可能となり、よりスループットを向上させることができる。
また、非通信期間の設定方法としては、ＷＬＡＮのアクセスポイントとステーションの双方にて管理しているタイムスタンプを使用して行ってもよい。
【００４６】
図１１の実施の形態４の制御フローについて説明する。
制御フローを開始する。（手順Ｓ４０１）
送信待ちデータ保持部２０３にて、接続中のステーション宛のデータを保持しているかを判定する。接続中のステーション宛のデータを保持していない場合は、データ無しの情報をＷＬＡＮ無線通信部２０２へ通知する（手順Ｓ４０２）。
送信待ちデータ保持部２０３にて、保持データありの場合は、ブルーツース無線通信部２０５から通知されたブルーツーストラフィック情報から、ブルーツースが、現在通信中かどうかを判定する。
ブルーツースが、通信中の場合は、データ無しの情報をＷＬＡＮ無線通信部２０２へ通知する。また、非通信の場合は、データ有りの情報をＷＬＡＮ無線通信部２０２へ通知する。（手順Ｓ４０３）
送信待ちデータ保持部２０３からデータ無しの情報を受け取ったＷＬＡＮ無線通信部２０２は、Ｂｅａｃｏｎの情報要素にデータ無しの情報を設定して、ＷＬＡＮアンテナ２０１を介し、Ｂｅａｃｏｎを報知する。（手順Ｓ４０４）
また、送信待ちデータ保持部２０３からデータ有りの情報を受け取った通信断期間検出部２０６は、ＷＬＡＮ無線通信部２０２に対して、ブルーツースの非通信期間の情報を通知する。
送信待ちデータ保持部２０３からデータ有りの情報と通信断期間検出部２０６からブルーツースの非通信期間の情報を受け取ったＷＬＡＮ無線通信部２０２は、Ｂｅａｃｏｎ情報にデータ有りの情報とブルーツースの非通信期間の情報を設定して、ＷＬＡＮアンテナ２０１を介し、Ｂｅａｃｏｎを報知する（手順Ｓ４０５）。
制御フローを終了する（手順Ｓ４０６）。
この制御をすることで、ブルーツースとの非通信期間を十分に使用することができ、ＷＬＡＮとブルーツースとの干渉を回避しつつも、よりスループットの向上を図ることができる。
【００４７】
すなわち、実施の形態１〜４の無線通信装置は、ＷＬＡＮ通信とブルーツース通信が可能な通信装置であって、本無線通信装置においては、図２に示すように、ＷＬＡＮの送信データを保持する送信待ちデータ保持部１０３を設けるとともに、ブルーツースが通信中か通信中でないかを検出するためにブルーツース無線通信部１０５から、ブルーツースのトラフィック情報を送信待ちデータ保持部１０３に入力する。
【００４８】
送信待ちデータ保持部１０３は、ブルーツースが通信中に送信データを保持していた場合に、送信データなしの情報を、ＷＬＡＮ無線通信部１０２へ出力する。
【００４９】
また、送信待ちデータ保持部１０３は、ブルーツースが非通信中に送信データを保持していた場合は、送信データ有りの情報を、ＷＬＡＮ無線通信部１０２へ出力するように動作する。
【００５０】
ＷＬＡＮ無線通信部１０２は、送信待ちデータ保持部１０３からの情報に基づいて、Ｂｅａｃｏｎ信号にて、接続中のステーションに対して、データ有り、無しの情報を、ＷＬＡＮアンテナ１０１を介して報知する。
【００５１】
この手段を用いることで、ブルーツースが通信中には、接続中のステーション宛の送信データを保持していたとしても、Ｂｅａｃｏｎ信号にてデータ無しの報知を行うため、通信が開始されることを抑止することができる。
【００５２】
上記にて、ＷＬＡＮとブルーツースとして述べたが、周波数帯が重なる他のシステムに対しても同様に適用できる手段であるため、特にＷＬＡＮとブルーツースに限定はしない。
【００５３】
また、送信データは、機器内部のメモリからのデータだけでなく、外部インターフェースであるセルラ回線から到来するデータであってもよい。
【００５４】
また、本発明においては、ブルーツースが非通信期間にて、ステーションとの通信が開始された後に、ブルーツースとの干渉を回避するために、ＷＬＡＮの通信を停止する手段も提供する。
【００５５】
ＷＬＡＮの規格上の動作として、Ｐｏｗｅｒｓａｖｅ中の通信中の動作として、アクセスポイントが、保持しているデータがある場合に、ステーション宛のデータパケットの情報要素に、保持データありのＢｉｔを立てて該当ステーションにデータパケットを送信する。該当ステーションは、アクセスポイントからのデータを受信した後に、アクセスポイントに自分宛の保持データがあることを認識した後に、アクセスポイントから自分宛のデータを引き出すために、ＰＳ−ＰＯＬＬパケットを送信する。
【００５６】
ＰＳ−ＰＯＬＬ送信後に、受信したデータにて、自分宛のデータが保持されていた場合には、更にＰＳ−ＰＯＬＬを送信して、アクセスポイントからデータを引き出す動作を繰り返す。
【００５７】
本無線通信装置においては、通信中に、アクセスポイントから送信したデータとブルーツーストラフィックが開始されるまでの時間を常時監視し、あらかじめ規定した時間を下回った場合には、ＷＬＡＮとブルーツースが干渉する恐れがあると検出し、送信待ちデータ保持部１０３にて送信データを保持していたとしても、送信データなしの通知を、ＷＬＡＮ無線通信部１０２に通知する。
【００５８】
送信待ちデータ保持部１０３から、送信データなしの通知を受け取ったＷＬＡＮ無線通信部１０２は、通信中のステーションに対して、データパケットに保持データなしのＢｉｔを情報要素に設定してデータパケットを送信する。
【００５９】
ステーション側は、受信したデータにて、自分宛のデータがアクセスポイントに保持されていないこと認識して、ＰＳ−ＰＯＬＬを送信することを停止する。
【００６０】
この手段を用いることで、ＷＬＡＮ通信中において、ブルーツースの通信が開始される場合においても、ＷＬＡＮとブルーツースが干渉することなく、ＷＬＡＮ側の動作を即座に停止することができる。
【００６１】
また、本無線通信装置においては、ブルーツースが通信中に、送信待ちデータ保持部１０３に送信データを保持していた場合に、Ｂｅａｃｏｎ信号にてデータ無しの報知を行うこととしたが、Ｂｅａｃｏｎ信号自体の送信を停止する手段をとってもよい。
【００６２】
これまで述べた手段は、ステーション側に何ら回路の追加や制御の追加の必要もなくアクセスポイント側のみの変更にてブルーツースとの干渉回避を実現できる手段であり、すべての接続されるステーションに適用できるものである。
【００６３】
また、本無線通信装置においては、ステーション側に制御の追加が必要となるが、図９に示すように、ブルーツースの非通信期間を検出する通信断期間検出部２０６を設け、送信待ちデータ保持部２０３に送信データを保持していた際に、Ｂｅａｃｏｎ信号にて、データ有りの報知を行うとともに、ブルーツース非通信期間を通知する手段をとってもよい。
【００６４】
このブルーツース非通信期間をＢｅａｃｏｎにて通知されたステーションは、その非通信期間にて、ＰＳ−ＰＯＬＬを送信し、通信を実施することができるため、干渉回避が可能な領域を効率的に使用することができ、更なるスループットの向上を図ることができる。
【００６５】
この非通信期間は、ＷＬＡＮのアクセスポイント側で管理しているタイムスタンプ等を使用してもよい。タイムスタンプは、アクセスポイントとステーションにて共有情報として保持されているため、より精度よくブルーツースの非通信期間の通知が可能となる。
【産業上の利用可能性】
【００６６】
本発明にかかる無線通信装置は、携帯電話に搭載されたＷＬＡＮとブルーツースとの干渉回避を実現するのに好適である。
【符号の説明】
【００６７】
１−１、１−２、１００、２００    携帯電話
２    セルラ基地局
３    ヘッドセット
４    インターネット網
１０１、２０１    ＷＬＡＮアンテナ
１０２、２０２    ＷＬＡＮ無線通信部
１０３、２０３    送信待ちデータ保持部
１０４、２０４    ブルーツースアンテナ
１０５、２０５    ブルーツース無線通信部
２０６    通信断期間検出部
【図１】
2012186522.tif 000003
【図２】
2012186522.tif 000004
【図３】
2012186522.tif 000005
【図４】
2012186522.tif 000006
【図５】
2012186522.tif 000007
【図６】
2012186522.tif 000008
【図７】
2012186522.tif 000009
【図８】
2012186522.tif 000010
【図９】
2012186522.tif 000011
【図１０】
2012186522.tif 000012
【図１１】
2012186522.tif 000013